(57)【要約】【課題】円環戸を曲線に沿って移動させて円環板内に押し入れて開口を開くために用いる隠し開き戸を有する円形ラックを提供する。【解決手段】円形ラックは、円環板１０及び円環戸２０を備える。円環板１０は、前部に開口１１が形成され、上部に接続された上筐体１２と、下部に接続された下筐体１２ａとを有し、内部に収容空間１３が形成される。円環戸２０の周径は、開口１１の開口径より僅かに大きいとともに、円環板１０の周径より僅かに小さい。円環戸２０及び円環板１０の２つの円周面は、対称的な弧面状に形成され、円環戸２０を開口１１に枢着させ、円環板１０内に形成した隠し開き戸には、円環戸２０が曲線に沿って引き込まれて占有空間を小さくしたり、円環戸２０を曲線に沿って内方から引っ張り出して開口１１を閉じたりする。【選択図】図１
0003186023.tif 000002
【実用新案登録請求の範囲】
【請求項１】
円環板及び円環戸を備えた円形ラックであって、
円環板は、前部に開口が形成され、上部に接続された上筐体と、下部に接続された下筐体とを有し、内部に収容空間が形成され、円環戸の周径は、開口の開口径より僅かに大きいとともに、円環板の周径より僅かに小さく、円環戸及び円環板の２つの円周面は、対称的な弧面状に形成され、円環戸を開口に枢着させ、円環板内に形成した隠し開き戸には、円環戸が曲線に沿って引き込まれて占有空間を小さくしたり、円環戸を曲線に沿って内方から引っ張り出して開口を閉じたりすることを特徴とする円形ラック。
【請求項２】
円環戸のプレート面の中央部には、仏像又は蓮花の装飾パターンを有するパターンエリアが形成され、円環板の少なくとも１つの筐体の板面上には、対応した軌道と、円環戸の頂底環に枢着され、円環板の開口の側部に設けた長尺状ストッパにより可動門を位置決めし、円環板の開口には、装飾ベース又は供給ベースが設けられ、装飾ベース又は供給ベースの周囲面には、エンボス又は発光体を有する装飾部材が配設されることを特徴とする請求項１に記載の円形ラック。
【請求項３】
上筐体及び下筐体の頂面、底面及び側端には、接続孔及び接続耳の接続部がそれぞれ設けられ、
上筐体及び下筐体は、可動部材及び外カバー盤を含み、
可動部材は、枢着リングを有する回転盤と、位置決め盤とを含み、
回転盤の外側縁には、複数の接合孔が形成され、
円環戸の端面には、接合孔に対応した箇所に複数の被接合孔が形成されていることを特徴とする請求項１に記載の円形ラック。
【考案の詳細な説明】
【技術分野】
【０００１】
本考案は、円形ラックに関し、特に、円環板の開口部に枢着した円環戸を利用し、円環戸を曲線に沿って円環板内に押し入れて開口を開くために用いる隠し開き戸を有する円形ラックに関する。
【背景技術】
【０００２】
従来の骨壺を置くラック又は一般のロッカーには、方形状の容器が設置されることが一般的であり、この容器の前部に設けられた開口に平面ドアパネルが開閉自在に枢着されることが一般的である。しかし、ドアパネルを開くと、歩く空間が占有されたり、祭儀の実施や一般の物品を収納したり取り出したりすることが不便であった。また、ドアパネルが閉められた後の平面外形が冷たく単調なイメージを見る者に与え、デザイン性に乏しかったため改善が求められていた。この問題に鑑み、本考案者は関連産業の研究に長年従事した経験に基づいて工夫を施し、多くの検討を重ねて試作品を作って試験し、本考案を案出した。
【考案の概要】
【考案が解決しようとする課題】
【０００３】
本考案の目的は、開口及び上下筐体を有する円環板と、対称的な弧面状を呈した円環戸とを有し、円環戸が開口に枢着され、円環戸が曲線に沿って移動して円環板内に形成された隠し開き戸に押し入れられ、開口を開いて骨壺又は物品を収納することにより占有空間を小さくしたり、内方から円環戸を引っ張り出して開口を閉じたりすることにより、使用性及び見た目を向上させることができる円形ラックを提供することにある。
【課題を解決するための手段】
【０００４】
上記課題を解決するために、本考案の第１の形態によれば、円環板及び円環戸を備えた円形ラックであって、円環板は、前部に開口が形成され、上部に接続された上筐体と、下部に接続された下筐体とを有し、内部に収容空間が形成され、円環戸の周径は、開口の開口径より僅かに大きいとともに、円環板の周径より僅かに小さく、円環戸及び円環板の２つの円周面は、対称的な弧面状に形成され、円環戸を開口に枢着させ、円環板内に形成した隠し開き戸には、円環戸が曲線に沿って引き込まれて占有空間を小さくしたり、円環戸を曲線に沿って内方から引っ張り出して開口を閉じたりすることを特徴とする円形ラックが提供される。
【０００５】
円環戸のプレート面の中央部には、仏像又は蓮花の装飾パターンを有するパターンエリアが形成され、円環板の少なくとも１つの筐体の板面上には、対応した軌道と、円環戸の頂底環に枢着され、円環板の開口の側部に設けた長尺状ストッパにより可動門を位置決めし、円環板の開口には、装飾ベース又は供給ベースが設けられ、装飾ベース又は供給ベースの周囲面には、エンボス又は発光体を有する装飾部材が配設されることが好ましい。
【０００６】
上筐体及び下筐体の頂面、底面及び側端には、接続孔及び接続耳の接続部がそれぞれ設けられ、上筐体及び下筐体は、可動部材及び外カバー盤を含み、可動部材は、枢着リングを有する回転盤と、位置決め盤とを含み、回転盤の外側縁には、複数の接合孔が形成され、円環戸の端面には、接合孔に対応した箇所に複数の被接合孔が形成されていることが好ましい。
【図面の簡単な説明】
【０００７】
【図１】図１は、本考案の一実施形態に係る円形ラックを示す斜視図である。
【図２】図２は、本考案の一実施形態に係る円形ラックを示す平面図である。
【図３】図３は、本考案の一実施形態に係る円形ラックを組み合わせて積層した状態を示す斜視図である。
【図４】図４は、本考案の一実施形態に係る円形ラックを示す分解斜視図である。
【図５】図５は、本考案の他の実施形態に係る円形ラックを示す断面斜視図である。
【図６】図６は、本考案の他の実施形態に係る円形ラックを示す斜視図である。
【図７】図７は、本考案の一実施形態に係る装飾ベースと供給ベースとを組み合わせたときの状態を示す斜視図である。
【考案を実施するための形態】
【０００８】
以下、本考案の実施形態について図に基づいて説明する。なお、これによって本考案が限定されるものではない。
【０００９】
図１を参照する。図１は、本考案の一実施形態に係る円形ラックを示す斜視図である（図２も併せて参照する）。図１に示すように、本考案の一実施形態に係る円形ラックは、少なくとも円環板１０及び円環戸２０から構成される。円環板１０は、前部の適宜な箇所に形成された開口１１と、上部に接続された上筐体１２と、下部に接続された下筐体１２ａとを有し、内部に収容空間１３が形成されている。円環戸２０の周径は、開口１１の開口径より僅かに大きいとともに、円環板１０の周径より僅かに小さく、２つの円周面は、対称的な弧面状に形成され、円環戸２０を開口１１に枢着させ、円環板１０内に形成した隠し開き戸に円環戸２０が曲線に沿って収納されるため、占有空間が小さい。開口１１を開いて骨壺又は物品を収容空間１３に収納したり、円環戸２０を内方から引っ張って旋回させ、開口１１の側部に設けた長尺状ストッパ１１１上に位置決めさせ、開口１１を閉じて円形容器を設置し、円環戸２０のプレート面中央部の適宜な箇所に仏像、蓮花の装飾パターンを有するパターンエリア２２が設けられ、筐体１２，１２ａの頂面、底面及び側端に接続孔及び接続耳がそれぞれ設けられ、接続部１２１，１２２により円形ラックを上下左右に配列して積層し、ロッカーのアーキテクチャを構成する。
【００１０】
上述した円環板１０の筐体１２，１２ａ（図４及び図５参照）は、可動部材１２３，１２３ａ及び外カバー盤１２４，１２４ａをさらに含む。可動部材１２３，１２３ａは、枢着リング１２３１，１２３１ａを有する回転盤１２３２，１２３２ａと、位置決め盤１２３３，１２３３ａとにより構成され、回転盤１２１２，１２１２ａの外側縁の適宜な箇所には、複数の接合孔１２３４，１２３４ａが形成され、接合孔１２３４，１２３４ａに対応した箇所に形成された複数の被接合孔２１，２１ａが円環戸２０の端面に形成され、回転盤１２１２，１２１２ａを位置決め盤１２３３，１２３３ａ下に配設し、外カバー盤１２４を位置決め盤１２３３上に配設し、円環戸２０を回転盤１２１２，１２１２ａに接続し、枢着リング１２１１，１２１１ａを旋回させて内方へ押し入れて円環板１０内に隠したり、円環戸２０を引っ張り出して旋回させ、開口１１の側部に設けた長尺状ストッパ１１１まで変位させて開口１１を閉じ、円環戸２０を上筐体１２又は下筐体１２ａの上又は下の回転盤１２１２の回転盤１２１２ａの連結回転により、吊下方式で旋回可能に枢着させるか、支持方式で枢着させる。
【００１１】
上述した円環板１０（図６参照）は、少なくとも１つの筐体１２，１２ａのパネル面上で、対応した軌道１２５及び円環戸２０の頂、底環縁に枢着させ、円環戸２０を軌道１２５に沿って変位させ、円環板１０内に隠して開口１１を開いたり、軌道１２５に沿って円環戸２０を引っ張り出して旋回させ、開口１１の側部に設けられた長尺状ストッパ１１１まで変位させて開口１１を閉め、円環戸２０を上下の軌道１２５により旋回させながら押し入れたり引き出したりして開口１１を開閉させ、スライドレール方式により旋回自在に枢着される。
【００１２】
上述した円環板１０の開口１１（図７参照）には、供給ベース１４又は装飾ベース（図示せず）が設けられ、装飾ベース又は供給ベース１４の周囲面には、エンボス、発光体などのパターンを有する装飾部材１４１が形成される。
【００１３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１４】
１０        円環板
１１        開口
１２        上筐体
１２ａ      下筐体
１３        収容空間
１４        供給ベース
２０        円環戸
２１        被接合孔
２１ａ      被接合孔
２２        パターンエリア
１１１      長尺状ストッパ
１２１      接続部
１２２      接続部
１２３      可動部材
１２３ａ    可動部材
１２４      外カバー盤
１２４ａ    外カバー盤
１２５      軌道
１４１      装飾部材
１１１１    収容空間
１２１１    枢着リング
１２１１ａ  枢着リング
１２１２    回転盤
１２１２ａ  回転盤
１２３１    枢着リング
１２３１ａ  枢着リング
１２３２    回転盤
１２３２ａ  回転盤
１２３３    位置決め盤
１２３３ａ  位置決め盤
１２３４    接合孔
１２３４ａ  接合孔
【図１】
0003186023.tif 000003
【図２】
0003186023.tif 000004
【図３】
0003186023.tif 000005
【図４】
0003186023.tif 000006
【図５】
0003186023.tif 000007
【図６】
0003186023.tif 000008
【図７】
0003186023.tif 000009